(57)【特許請求の範囲】
【請求項１】
細長の弾性板と、弾性板の一面に形成された粘着層と、粘着層に密着した剥離カバーとを備え、粘着層は弾性板の前記一面の全面に形成されており、剥離カバーは粘着層の長手方向一端部を覆う第１部分と、粘着層の長手方向中央部を覆う第２部分と、粘着層の長手方向他端部を覆う第３部分とに三分割されており、使用時において剥離カバーの第１部分と第３部分とは粘着層から剥がされており、剥離カバーの第２部分は粘着層の長手方向中央部に密着したままであることを特徴とする鼻腔拡張具。
【請求項２】
細長の弾性板と、弾性板の一面に形成された粘着層と、粘着層に密着した剥離カバーとを備え、粘着層は弾性板の前記一面の全面に形成されており、剥離カバーは粘着層の長手方向一端部を覆う第１部分と、粘着層の長手方向中央部を覆う第２部分と、粘着層の長手方向他端部を覆う第３部分とに三分割された鼻腔拡張具の使用方法であって、剥離カバーの第１部分と第３部分とを粘着層から剥がして粘着層の長手方向一端部と他端部とを鼻梁側部に密着させる一方、剥離カバーの第２部分は粘着層に密着させたまま鼻梁頂部に当接させることを特徴とする鼻腔拡張具の使用方法。
【発明の詳細な説明】
【技術分野】
【０００１】
本発明は、鼻腔拡張具に関するものである。
【背景技術】
【０００２】
細長の弾性板と、弾性板の一面に形成された粘着層と、粘着層に密着した剥離カバーとを備え、粘着層から剥離カバーを剥がし粘着層を鼻梁に密着させて使用する鼻腔拡張具が特許文献１に開示されている。
特許文献１の鼻腔拡張具においては、使用後に鼻腔拡張具を取り外す際に、粘着層が密着した鼻梁頂部の皮膚が剥がれて鼻梁頂部が損傷するのを防止するために、粘着層の長手方向中央部にパッドやネットを密着させて、鼻腔拡張具の使用時に粘着層が鼻梁頂部に密着するのを防止している。
【先行技術文献】
【特許文献】
【０００３】
【特許文献１】特開２００５−０８７７６６号公報
【発明の概要】
【発明が解決しようとする課題】
【０００４】
特許文献１の鼻腔拡張具には、使用時の鼻梁頂部への粘着層の密着を防止のための専用部材を必要とするという問題がある。
本発明は、細長の弾性板と、弾性板の一面に形成された粘着層と、粘着層に密着した剥離カバーとを備え、粘着層から剥離カバーを剥がし粘着層を鼻梁に密着させて使用する鼻腔拡張具であって、使用時の鼻梁頂部への粘着層の密着が防止され、且つ使用時の鼻梁頂部への粘着層の密着防止のための専用部材を必要としない鼻腔拡張具を提供することを目的とする。
【課題を解決するための手段】
【０００５】
上記課題を解決するために、本発明においては、細長の弾性板と、弾性板の一面に形成された粘着層と、粘着層に密着した剥離カバーとを備え、粘着層は弾性板の前記一面の全面に形成されており、剥離カバーは粘着層の長手方向一端部を覆う第１部分と、粘着層の長手方向中央部を覆う第２部分と、粘着層の長手方向他端部を覆う第３部分とに三分割されており、使用時において剥離カバーの第１部分と第３部分とは粘着層から剥がされており、剥離カバーの第２部分は粘着層の長手方向中央部に密着したままであることを特徴とする鼻腔拡張具を提供する。
また本発明においては、細長の弾性板と、弾性板の一面に形成された粘着層と、粘着層に密着した剥離カバーとを備え、粘着層は弾性板の前記一面の全面に形成されており、剥離カバーは粘着層の長手方向一端部を覆う第１部分と、粘着層の長手方向中央部を覆う第２部分と、粘着層の長手方向他端部を覆う第３部分とに三分割された鼻腔拡張具の使用方法であって、剥離カバーの第１部分と第３部分とを粘着層から剥がして粘着層の長手方向一端部と他端部とを鼻梁側部に密着させる一方、剥離カバーの第２部分は粘着層に密着させたまま鼻梁頂部に当接させることを特徴とする鼻腔拡張具の使用方法を提供する。
剥離カバーの長手方向両端部のみを粘着層から剥がし、長手方向中央部は粘着層に密着させたまま、鼻腔拡張具を使用すれば、鼻梁頂部には剥離カバーの長手方向中央部が当接し、粘着層は密着しない。従って、鼻腔拡張具の取り外し時に、粘着層が鼻梁頂部の皮膚を剥がす事態は発生せず、鼻梁頂部は損傷しない。剥離カバーを三分割すれば良く、使用時の鼻梁頂部への粘着層の密着防止のための専用部材は不要である。
【図面の簡単な説明】
【０００６】
【図１】本発明の第１実施例に係る鼻腔拡張具の分解斜視図である。
【図２】本発明の第２実施例に係る鼻腔拡張具の分解斜視図である。
【発明を実施するための形態】
【０００７】
図１に示すように、本発明の第１実施例に係る鼻腔拡張具１は、紙、布、プラスチック等の単一部材又は複合部材で形成された細長の弾性板２と、弾性板２の一面に形成された粘着層３と、粘着層３に密着した紙、プラスチック等で形成された剥離カバー４とを備えている。粘着層３は弾性板２の前記一面の長手方向両端部のみに形成されており、長手方向中央部には粘着層が形成されていない。剥離カバー４は、長手方向中央で半部分４ａ、４ｂに二分割されている。
鼻腔拡張具１を使用する際には、先ず剥離カバー４を粘着層３から剥がし、弾性板２の前記一面の長手方向中央部を鼻梁頂部に当接させ、前記一面の長手方向両端部に形成した粘着層３を鼻梁側部に密着させて、鼻梁に鼻腔拡張具１を装着する。鼻梁に沿って曲げられた弾性板２の復元力によって、粘着層３が密着した鼻梁側部が持ち上げられ、鼻腔が拡張し、鼻詰まりが解消する。
粘着層３は弾性板２の一面の長手方向両端部のみに形成され、長手方向中央部には形成されていないので、鼻腔拡張具１の使用時に粘着層３は鼻梁側部のみに密着し、鼻梁頂部には密着しない。従って、鼻腔拡張具１の取り外し時に、粘着層３が鼻梁頂部の皮膚を剥がす事態は発生せず、鼻梁頂部は損傷しない
鼻腔拡張具１使用時の、弾性板２の復元力は、曲率半径が最小となる鼻梁頂部に対峙する長手方向中央部の歪エネルギーによって略決定される。弾性板２の長手方向中央部が粘着層３を介して鼻梁頂部に密着すると、前記歪エネルギーの解放が阻害されて弾性板２の復元力が減少し、鼻腔拡張具１の鼻腔拡張効果が減少する。弾性板２の長手方向中央部が鼻梁頂部に密着しないことにより、前記歪エネルギーの解放が促進され、弾性板２の復元力が増加し、鼻腔拡張効果が増加する。
鼻腔拡張具１に於は、粘着層３の形成部位を弾性板２の一面の長手方向両端部のみに限定すれば良く、使用時の鼻梁頂部への粘着層３の密着防止のための専用部材は不要である。
【０００８】
図２に示すように、本発明の第２実施例に係る鼻腔拡張具１１は、細長の弾性板１２と、弾性板１２の一面に形成された粘着層１３と、粘着層１３に密着した剥離カバー１４とを備えている。粘着層１３は弾性板１２の前記一面の全面に亙って形成されており、剥離カバー１４は粘着層１３の長手方向一端部を覆う第１部分１４ａと、粘着層１３の長手方向中央部を覆う第２部分１４ｂと、粘着層１３の長手方向他端部を覆う第３部分１４ｃとに三分割されている。
剥離カバー１４の長手方向両端部１４ａ、１４ｃのみを粘着層１３から剥がし、長手方向中央部１４ｂは粘着層１３に密着させたまま、鼻腔拡張具を使用すれば、鼻梁頂部には剥離カバーの長手方向中央部１４ｂが当接し、粘着層１３は密着しない。従って、鼻腔拡張具１１の取り外し時に、粘着層１３が鼻梁頂部の皮膚を剥がす事態は発生せず、鼻梁頂部は損傷しない。
剥離カバー１４を１４ａ、１４ｂ、１４ｃに三分割すれば良く、使用時の鼻梁頂部への粘着層１３の密着防止のための専用部材は不要である。
【産業上の利用可能性】
【０００９】
本発明に係る鼻腔拡張具に広く利用可能である。
【符号の説明】
【００１０】
１、１１  鼻腔拡張具
２、１２  弾性板
３、１３  粘着層
４、１４  剥離カバー
４ａ、４ｂ  半部分
１４ａ  第１部分
１４ｂ  第２部分
１４ｃ  第３部分
【要約】
【課題】  細長の弾性板と、弾性板の一面に形成された粘着層と、粘着層に密着した剥離カバーとを備え、粘着層から剥離カバーを剥がし鼻梁に粘着層を密着させて使用する鼻腔拡張具であって、使用時の鼻梁頂部への粘着層の密着が防止され、且つ使用時の鼻梁頂部への粘着層の密着防止のための専用部材を必要としない鼻腔拡張具を提供する。
【解決手段】  細長の弾性板と、弾性板の一面に形成された粘着層と、粘着層に密着した剥離カバーとを備え、粘着層は弾性板の前記一面の全面に形成されており、剥離カバーは粘着層の長手方向一端部を覆う第１部分と、粘着層の長手方向中央部を覆う第２部分と、粘着層の長手方向他端部を覆う第３部分とに三分割されており、使用時において剥離カバーの第１部分と第３部分とは粘着層から剥がされており、剥離カバーの第２部分は粘着層の長手方向中央部に密着したままである。
【選択図】  図２【図１】
0006938750.tif 000002
【図２】
0006938750.tif 000003